(57)【要約】【課題】既設配管内に残留する冷凍機油の量を低減して新規に接続する室外機に封入された冷凍機油の劣化を抑制し、冷凍装置の信頼性を向上した冷凍サイクルの配管洗浄装置及び配管洗浄方法を得る。【解決手段】液接続配管６５及びガス接続配管６８で接続された冷凍サイクルを有する冷凍装置に対して、冷媒を液接続配管６５及びガス接続配管６８内に循環させて洗浄を行う冷凍サイクルの配管洗浄装置４０ａにおいて、配管洗浄装置４０ａは、冷媒圧縮機１ａ、空気熱交換器２、減圧装置７、蒸発器４ｂが順次連結されて蒸気圧縮冷凍サイクルが構成され、蒸発器４ｂと冷媒圧縮機１ａとの間に異物分離装置１１が配置され、空気熱交換器２によって凝縮された洗浄冷媒を液接続配管６５及びガス接続配管６８内に循環させる。【選択図】　図６
2004132597.tif 000002
【特許請求の範囲】
【請求項１】
液接続配管及びガス接続配管で接続された冷凍サイクルを有する冷凍装置に対して、冷媒を前記液接続配管及びガス接続配管内に循環させて洗浄を行う冷凍サイクルの配管洗浄装置において、
前記配管洗浄装置は、冷媒圧縮機、空気熱交換器、減圧装置、蒸発器が順次連結されて蒸気圧縮冷凍サイクルが構成され、前記蒸発器と前記冷媒圧縮機との間に異物分離装置が配置され、前記空気熱交換器によって凝縮された冷媒を前記液接続配管及びガス接続配管内に循環させることを特徴とする配管洗浄装置。
【請求項２】
請求項１に記載のものにおいて、前記冷媒圧縮機の吐出側に油分離器を配置し、該油分離器で分離した冷凍機油を前記冷媒圧縮機の吸入側に導出することを特徴とする配管洗浄装置。
【請求項３】
請求項１に記載のものにおいて、前記空気熱交換器により凝縮した洗浄冷媒の一部は液バイパス回路用減圧装置を介して、前記冷媒圧縮機の吸入側に導入されることを特徴とする配管洗浄装置。
【請求項４】
請求項１に記載のものにおいて、前記空気熱交換器で凝縮された冷媒と、前記液接続配管及びガス接続配管を通って前記減圧装置により減圧された後の冷媒との間で熱交換を行う液−ガス熱交換器を設けたことを特徴とする配管洗浄装置。
【請求項５】
液接続配管及びガス接続配管で接続された冷凍サイクルを有する冷凍装置に対して、冷媒を前記液接続配管及びガス接続配管内に循環させて洗浄を行う冷凍サイクルの配管洗浄方法であって、
前記液接続配管及びガス接続配管に、冷媒圧縮機、空気熱交換器、減圧装置、蒸発器が順次連結され、前記蒸発器と前記冷媒圧縮機との間に異物分離装置が配置された配管洗浄装置及び該配管洗浄装置に回収ボンベを接続し、前記冷媒圧縮機より吐出した高温高圧冷媒を前記空気熱交換器で凝縮し前記回収ボンベ内に導入する冷媒回収運転を行い、
回収された液冷媒を前記液接続配管及びガス接続配管に流出して循環させ、前記配管洗浄装置内に流入し、流入した冷媒を前記減圧装置で減圧して前記蒸発器で蒸発させ、前記異物分離装置を介して前記冷媒圧縮機へ吸入させる配管洗浄運転を行うことを特徴とする配管洗浄方法。
【発明の詳細な説明】
【０００１】
【発明の属する技術分野】
本発明は、冷凍サイクルを利用した空気調和機や冷凍機を含む冷凍装置に使用する接続配管を洗浄する配管洗浄装置及び配管洗浄方法に関する。
【０００２】
【従来の技術】
空気調和機及び冷凍機を含む冷凍装置の配管の洗浄方法として、既設の冷凍装置とは別の冷凍サイクルにより、冷凍装置に使用している冷媒と同じ冷媒を用いて配管を洗浄し、配管内に残った配管の切断時に生じた切り粉やバリ取りかすや配管の溶接作業で配管内表面に生じた酸化皮膜（酸化銅）などの塵や、配管内に残留した水分を取り除くために、洗浄冷媒中に混入した前記塵や水分を、配管洗浄用循環ポンプと阻止弁の間の接続パイプに配設したフィルターにより取り除くことが知られ、例えば特開２００１−１８３０３５号公報に記載されている。
【特許文献１】
特開２００１−１８３０３５号公報
【０００３】
【発明が解決しようとする課題】
上記従来技術においては、洗浄冷媒中に冷凍機油が溶解した際に、洗浄冷媒と冷凍機油とを分離しておらず、既設配管内に残留した冷凍機油を取り除くには、新品の洗浄冷媒を別途用意する必要がある。室内機が複数台接続するマルチ式の空気調和機や配管長が長いシステムであって、既設配管内に残留する冷凍機油の量が多い場合では、配管内の洗浄状態によっては１００ｋｇ以上の新品の洗浄冷媒が必要とされる。
【０００４】
本発明の目的は、既設配管内に残留する冷凍機油の量を低減して新規に接続する室外機に封入された冷凍機油の劣化を抑制し、冷凍装置の信頼性を向上した冷凍サイクルの配管洗浄装置及び配管洗浄方法を提供することにある。
【０００５】
【課題を解決するための手段】
上記課題を解決するために、本発明は、液接続配管及びガス接続配管で接続された冷凍サイクルを有する冷凍装置に対して、冷媒を前記液接続配管及びガス接続配管内に循環させて洗浄を行う冷凍サイクルの配管洗浄装置において、前記配管洗浄装置は、冷媒圧縮機、空気熱交換器、減圧装置、蒸発器が順次連結されて蒸気圧縮冷凍サイクルが構成され、前記蒸発器と前記冷媒圧縮機との間に異物分離装置が配置され、前記空気熱交換器によって凝縮された洗浄冷媒を前記液接続配管及びガス接続配管内に循環させるものである。
【０００６】
また、上記のものにおいて、前記冷媒圧縮機の吐出側に油分離器を配置し、該油分離器で分離した冷凍機油を前記冷媒圧縮機の吸入側に導出することが望ましい。
さらに、上記のものにおいて、空気熱交換器により凝縮した洗浄冷媒の一部は液バイパス回路用減圧装置を介して、前記冷媒圧縮機の吸入側に導入されることが望ましい。
さらに、前記空気熱交換器で凝縮された冷媒と、前記液接続配管及びガス接続配管を通って前記減圧装置により減圧された後の冷媒との間で熱交換を行う液−ガス熱交換器を設けたことが望ましい。
【０００７】
さらに、本発明は、液接続配管及びガス接続配管で接続された冷凍サイクルを有する冷凍装置に対して、冷媒を前記液接続配管及びガス接続配管内に循環させて洗浄を行う冷凍サイクルの配管洗浄方法であって、前記液接続配管及びガス接続配管に、冷媒圧縮機、空気熱交換器、減圧装置、蒸発器が順次連結され、前記蒸発器と前記冷媒圧縮機との間に異物分離装置が配置された配管洗浄装置及び該配管洗浄装置に回収ボンベを接続し、前記冷媒圧縮機より吐出した高温高圧冷媒を前記空気熱交換器で凝縮し前記回収ボンベ内に導入する冷媒回収運転を行い、回収された液冷媒を前記液接続配管及びガス接続配管に流出して循環させ、前記配管洗浄装置内に流入し、流入した冷媒を前記減圧装置で減圧して前記蒸発器で蒸発させ、前記異物分離装置を介して前記冷媒圧縮機へ吸入させる配管洗浄運転を行うものである。
【０００８】
【発明の実施の形態】
以下本発明の実施の形態について図を用いて説明する。
図１は、一実施の形態によるサイクル系統図を示し、図５は図１のものを用いて配管洗浄運転を行うときのサイクル系統図、同じく図７は冷媒回収運転時のサイクル系統図を示している。
【０００９】
冷凍装置を運転した後に、配管には冷媒圧縮機から冷媒とともに吐出した冷凍機油が残留する。残留した冷凍機油は長期間立つと劣化し、冷凍機油の全酸価や過酸価物価が上昇する。長期間冷凍装置を運転した後の既設の配管を流用して室外機のみまたは室外機及び室内機を新品に交換した場合、既設の配管内に残留した劣化油の影響により、新品の室外機に封入されていた冷凍機油も劣化が加速され、冷媒圧縮機の摺動部の化学磨耗が促進される。さらには銅メッキ現象の発生、モータ材の絶縁不良などにより冷媒圧縮機が故障し、本来の製品寿命以下となる恐れもある。
さらに、長期間運転した冷凍装置に封入された冷媒がＨＣＦＣ−２２であって、新規に接続する室外機に封入された冷媒がＨＦＣ系冷媒（例えばＲ−４１０Ａ、Ｒ−４０７Ｃ）の場合、既設配管に残留するＨＣＦＣ−２２用の冷凍機油は、ＨＦＣ系冷媒には溶解しないのでキャピラリ等で詰まり、より信頼性を低下する。
【００１０】
図１の配管洗浄装置４０ａは、冷媒圧縮機１ａ内の冷凍機油量を、冷媒圧縮機１ａの外部から見ることができるように、冷媒圧縮機１ａに油面計１０を配置している。冷媒圧縮機１ａは冷媒とともに冷媒圧縮機１ａ内の冷凍機油も吐出する。そのため冷媒圧縮機１ａ内の冷凍機油は、冷媒圧縮機１ａの吸入側より供給されない限り、無くなるので、冷媒圧縮機１ａの摺動部に給油できなくなり、摺動部が焼付き、冷媒圧縮機１ａが故障する。配管洗浄装置４０ａでは、冷媒圧縮機１ａの吸入側に異物分離装置８を配置し、異物分離装置８で冷凍機油を分離するので、冷媒圧縮機１ａには冷凍機油が戻ってこない。そこで、油面計１０から冷媒圧縮機１ａ内の冷凍機油量を確認し、冷凍機油が規定量以下となったら給油口２４より冷凍機油を追加する。
【００１１】
図５ないし図８を参照して一実施の形態による配管洗浄装置について説明する。
冷媒としてＣＦＣやＨＣＦＣ系冷媒を充填した既設の室外機４１、既設の室内機４２ａ、４２ｂとそれぞれを接続する液接続配管６５及びガス接続配管６８により構成した冷凍装置内の冷媒を回収した後、配管洗浄装置４０ａを接続する。室外機４１内に冷媒を回収するポンプダウン運転を実施した後、あるいは、実施することなく、液接続配管６５及びガス接続配管６８及び室内機４２ａ、４２ｂの冷媒を空の回収ボンベ５０に回収する。図８は、空の回収ボンベ５０内に冷媒を回収する際の冷凍装置と配管洗浄装置との接続状態を示し、室外機４１の液阻止弁６４あるいはガス阻止弁６９に併設したサービス口６４１あるいは６９１と配管洗浄装置４０ａの阻止弁６とを接続配管５６ａを用いて接続する（図８では、一例としてガス阻止弁６９側のサービス口６９１と配管洗浄装置４０ａの阻止弁６とを接続している）。
【００１２】
回収ボンベ５０は、予め回収ボンベ５０内の空気を除くため真空引きを実施し、真空引きした回収ボンベ５０のガス側接続口５１と配管洗浄装置４０ａの接続口３１とを、回収ボンベ５０の液側接続口５２と配管洗浄装置４０ａの接続口２３（３３）とを、チャージホース５３、５４を用いて接続する。
【００１３】
次に、配管洗浄装置４０ａの冷媒回収運転を行い、この時の冷媒の流れについて説明する。
配管洗浄装置４０ａの阻止弁５は閉じた状態で、阻止弁６は開いた状態で、電磁弁２０は閉じた状態で運転する。冷媒圧縮機１ａより吐出した高温高圧冷媒は、空気熱交換器２で凝縮し、高圧の液冷媒または気液二相冷媒となる。冷媒圧縮機１ａが運転した後、電磁弁２３を開けることで高圧の液冷媒または気液二相冷媒は回収ボンベ５０内に導入される。また、冷媒圧縮機１ａの吸入側は低圧となることから、既設の冷凍装置内の冷媒はサービス口６９１、接続配管５６ａ、阻止弁６を介して配管洗浄装置４０ａ内に導入される。
【００１４】
冷媒回収運転の時間を短縮するために、配管洗浄装置４０ａの電磁弁２１を開け、回収ボンベ５０のガス側接続口５１から、回収ボンベ５０内のガス相を配管洗浄装置４０ａ内に回収してもよい。
冷媒回収運転のとき既設の室内機４２ａ、４２ｂの構成部品である減圧装置７１ａ、７１ｂは全開の状態とする。もし減圧装置７１ａ、７１ｂを全開の状態に設定できないときは、サービス口６９１のみならず、サービス口６４１からも冷媒を回収する。
【００１５】
以上のような冷媒回収運転を実施した後、既設の液接続配管６５及びガス接続配管６８の洗浄運転を実施する。この配管洗浄運転時の配管洗浄装置４０ａと冷媒回収後の既設冷凍装置との接続方法について説明する。
冷媒回収運転の際、室外機４１内に冷媒を回収するポンプダウン運転を実施した場合は液阻止弁６４及びガス阻止弁６９を全閉とした後、液接続配管６５及びガス接続配管６８と液阻止弁６４及びガス阻止弁６９とを分離する。分離した液接続配管６５及びガス接続配管６８とは、接続配管５５、５６を介して配管洗浄装置４０ａの阻止弁５、６に接続する。室内機４２ａ、４２ｂの減圧装置７１ａ、７１ｂを全開の状態にすることが可能ならば、室内機４２ａ、４２ｂを液接続配管６５及びガス接続配管６８に接続した状態で、減圧装置７１ａ、７１ｂを全開の状態に設定できないときは、室内機４２ａ、４２ｂを液接続配管６５及びガス接続配管６８から取り外し、液接続配管６５及びガス接続配管６８を開閉弁６７ａ、６７ｂを備えたバイパス枝管６６ａ、６６ｂを用いて接続する。この状態では、洗浄すべき液接続配管６５及びガス接続配管６８には洗浄冷媒が封入されていない。配管洗浄運転を実施するには、洗浄冷媒を液接続配管６５及びガス接続配管６８に封入したのち実施する。洗浄冷媒の封入方法及び配管洗浄運転時における洗浄冷媒の流れについて図８を参照して説明する。
【００１６】
洗浄冷媒としては洗浄すべき液接続配管６５及びガス接続配管６８内に残留する冷凍装置で使用していた冷凍機油と相溶性を有する冷媒を選定する。冷凍装置で使用していた冷媒と冷凍機油の間に相溶性があるならば、洗浄冷媒として冷凍装置で使用していた冷媒を用いても良い。
室外機４１内に冷媒を回収するポンプダウン運転を実施せず、冷凍装置内に冷媒を全て回収ボンベ５０内に回収した場合は、図８の通り、冷媒を回収済みの回収ボンベ５０内のガス側接続口５１と配管洗浄装置４０ａの接続口３１とを、回収ボンベ５０の液側接続口５２と配管洗浄装置４０ａの接続口２３（３３）とを、チャージホース５３、５４を用いて接続する。
【００１７】
洗浄運転前に、液接続配管６５及びガス接続配管６８内は真空引きを実施する。配管洗浄装置４０ａの阻止弁５及び阻止弁６は開いた状態で、電磁弁２１は閉じた状態で運転する。この状態で電磁弁２３を開けると、回収ボンベ５０中の冷媒は液接続配管６５及びガス接続配管６８内及び配管洗浄装置４０ａ内に流入する。その後冷媒圧縮機１ａを始動し、電磁弁２０を開けることで、冷媒圧縮機１ａより吐出した高圧の冷媒が回収ボンベ５０のガス側接続口５１より導入され、回収ボンベ５０内の圧力が配管洗浄装置４０ａの接続口２３（３３）の圧力よりも高くなり、回収ボンベ５０内の液冷媒は全て液接続配管６５及びガス接続配管６８内及び配管洗浄装置４０ａ内に流出する。
【００１８】
冷媒圧縮機１ａより吐出された高温高圧冷媒は空気熱交換器２で凝縮され、高圧の液冷媒または気液二相冷媒となり液−ガス熱交換器４（プレート熱交換器、または２重管熱交換器）に流入する。そして、冷媒は液−ガス熱交換器４で熱交換された後、接続配管５５を介して、洗浄すべき液接続配管６５及びガス接続配管６８内を循環し、液接続配管６５及びガス接続配管６８内に残留する異物（主として冷凍装置で使用していた冷凍機油）を洗浄冷媒中に溶解した後、接続配管５６を介して、阻止弁６より配管洗浄装置４０ａ内に流入する。その後、洗浄冷媒は減圧装置７により減圧され、液−ガス熱交換器４の蒸発側４ｂで蒸発しガス単相となる。
【００１９】
ガス単相の洗浄冷媒と洗浄冷媒中に溶解していた異物は、異物分離装置８に導入され、ガス単相の洗浄冷媒の密度よりも重い異物は、重力により異物分離装置８の下方に沈殿（１１）し、洗浄冷媒から分離される。異物の混入していないガス単相の洗浄冷媒は冷媒圧縮機１ａの吸入側へ導出される。
【００２０】
以上のように洗浄すべき液接続配管６５及びガス接続配管６８内には、絶えず異物の混入していない洗浄能力の高い洗浄冷媒が循環するので、配管洗浄装置４０ａの洗浄能力を高い水準で維持することが可能となる。また、冷媒圧縮機１ａに供給される冷媒は、異物を分離した後の冷媒であるので、配管洗浄装置４０ａに封入した冷凍機油と異物とが混合することがないので、信頼性を向上できる。
液−ガス熱交換器４を、凝縮側４ａの出口の冷媒を気液二相状態となるようなでの熱交換量に設定すれば、洗浄運転時の洗浄冷媒の封入量を削減することが可能となる。
【００２１】
室外機４１内に冷媒を回収するポンプダウン運転を実施した場合、回収ボンベ５０内に回収した冷媒のみでは、洗浄冷媒として不足する恐れがあり、室外機４１内の液阻止弁６４及びガス阻止弁６９に併設したサービス口６４１、６９１以外に設置されたサービス口と配管洗浄装置４０ａの接続口２２（３２）とを、さらにサービス口とは別のサービス口と配管洗浄装置４０ａの接続口３１とをチャージホースを介して接続する。これにより、室外機４１内に回収した冷媒を液接続配管６５、ガス接続配管６８内及び配管洗浄装置４０ａ内に流出することが可能となり、洗浄冷媒の不足を防ぐことができる。
室外機４１内の液阻止弁６４及びガス阻止弁６９に併設したサービス口６４１、６９１以外に設置されたサービス口がない場合は、液阻止弁６４及びガス阻止弁６９側の液接続配管６５及びガス接続配管６８との接続口を封止栓で封止した後、液阻止弁６４及びガス阻止弁６９を開け、サービス口６４１、６９１と配管洗浄装置４０ａの接続口２２（３２）、３１とをチャージホースを介して接続することが良い。
【００２２】
洗浄運転が終了したら図８に示すように、液接続配管６５及びガス接続配管６８内の洗浄冷媒を回収ボンベ５０に回収する。（冷媒回収運転時の冷媒の流れについては、冷凍装置からの冷媒回収運転時の流れと同様である。）
以上の洗浄運転及び冷媒回収運転の一連の作業を自動化することが良く、洗浄運転であれば、洗浄すべき液接続配管６５及びガス接続配管６８の配管総長に応じた必要洗浄時間を予め求めておき、洗浄時間をタイマ等で設定しておけば良い。冷媒回収運転であれば、低圧側圧力を圧力測定装置で監視しておき、要求される最低限の圧力となった時点で冷媒回収運転を終了する。
【００２３】
図２の配管洗浄装置４０ｂは、他の実施の形態を示し、冷媒圧縮機１ｂの吐出側に油分離器１２を配置したものである。冷媒圧縮機１ｂから吐出した冷凍機油は、油分離器１２により分離され、冷凍機油はガス冷媒の密度よりも大きいので、重力により油分離器１２の下方に沈殿（１３）する。分離した冷凍機油１３は、返油回路１４により冷媒圧縮機１ｂの吸入側に戻される。油分離器１２から冷媒圧縮機１ｂの吸入側に戻される冷凍機油の量は返油回路用キャピラリ１４ａの絞り量により調整することができ、冷媒圧縮機１ｂ内の冷凍機油の油面が異常に上昇することを抑える。これにより、冷媒圧縮機１ｂ内の冷凍機油が無くならない、あるいは冷媒圧縮機１ｂ内の冷凍機油がの著しく減少することを抑えることができるので、配管洗浄装置４０ｂのメンテナンス時間を低減し、信頼性を向上できる。
【００２４】
図３の配管洗浄装置４０ｃは、さらに他の実施の形態を示し、液−ガス熱交換器４の凝縮側４ａと阻止弁５との間から、液単相冷媒または気液二相冷媒を、液バイパス回路用キャピラリ１５ａを備えた液バイパス回路１５を介して冷媒圧縮機１ｂの吸入側に戻すものであり、これにより、冷媒圧縮機１ｂ温度の異常上昇を抑えることができる。
【００２５】
図４の配管洗浄装置４０ｄは、さらに他の実施の形態を示し、空気熱交換器２を凝縮器２ａ、蒸発器２ｂとしてそれぞれ独立にしたもので、より効率を向上できる。
【００２６】
【発明の効果】
以上説明したように、本発明によれば、既設の冷凍装置に封入された冷媒のみ、もしくは若干の洗浄冷媒を別途用意することで、既設配管内に残留した冷凍機油の量を低減し、新規に接続する室外機に封入された冷凍機油の劣化を抑制し、することで、冷凍装置の信頼性を向上することができる。
【図面の簡単な説明】
【図１】本発明による一実施の形態の配管洗浄装置を示すサイクル系統図。
【図２】他の実施の形態の配管洗浄装置を示すサイクル系統図。
【図３】さらに、他の実施の形態の配管洗浄装置を示すサイクル系統図。
【図４】さらに、他の実施の形態の配管洗浄装置を示すサイクル系統図。
【図５】室外機のみを接続して配管洗浄運転をするときのサイクル系統図。
【図６】
室外機と室内機を接続して配管洗浄運転をするときのサイクル系統図。
【図７】室外機のみを接続して冷媒回収運転をするときのサイクル系統図。
【図８】
室外機と室内機を接続して冷媒回収運転をするときのサイクル系統図。
【符号の説明】
１ａ、１ｂ、１ｃ…冷媒圧縮機、２、２ａ、２ｂ…空気熱交換器、３、３ａ、３ｂ…送風装置、４…液−ガス熱交換器、４ａ…凝縮器、４ｂ…蒸発器、５、６…阻止弁、７…減圧装置（キャピラリ）、８…異物分離装置、１２…油分離器、３１、３２、３３…接続ポート、４０ａ、４０ｂ、４０ｃ、４０ｄ…配管洗浄装置、４１…室外機、４２ａ、４２ｂ…室内機、５０…冷媒回収ボンベ、５１…ガス側接続口、５２…液側接続口、５３、５４…チャージホース、５５、５６、５６ａ…接続配管、６４…液阻止弁、６４１…液阻止弁サービス口、６５…液接続配管、６８…ガス接続配管、６９…ガス阻止弁、６９１…ガス阻止弁サービス口。
【図１】
2004132597.tif 000003
【図２】
2004132597.tif 000004
【図３】
2004132597.tif 000005
【図４】
2004132597.tif 000006
【図５】
2004132597.tif 000007
【図６】
2004132597.tif 000008
【図７】
2004132597.tif 000009
【図８】
2004132597.tif 000010